(57)【要約】【課題】多様化する各種の犯罪に対応して、自己防衛的にも利用可能な構造を有する防犯装置の提供を目的とする。【解決手段】  本考案の防犯装置は、スプレー缶を着脱自在に収納するスプレー缶収納部と、前記スプレー缶収納部に接続され使用者により把持可能とされる本体把持部と、前記本体把持部又は前記スプレー缶収納部の一部に回動可能に取り付けられ、引いた際に前記スプレー缶収納部に収納されるスプレー缶の内容物を射出させる引金部とを有することを特徴とする。引金部を操作することで、スプレー缶の内容物を射出させることができ、暴漢などの鎮圧も可能である。【選択図】  図１
0003123982.tif 000002
【実用新案登録請求の範囲】
【請求項１】
スプレー缶を着脱自在に収納するスプレー缶収納部と、
前記スプレー缶収納部に接続され使用者により把持可能とされる本体把持部と、
前記本体把持部又は前記スプレー缶収納部の一部に回動可能に取り付けられ、引いた際に前記スプレー缶収納部に収納される前記スプレー缶の内容物を射出させる引金部とを有することを特徴とする防犯装置。
【請求項２】
前記スプレー缶収納部の外側には、光照射部が形成されていることを特徴とする請求項１記載の防犯装置。
【請求項３】
前記本体把持部の内部には警報発生装置が内蔵され、前記光照射部からの光照射と当該警報発生装置からの警報発生を切り替えるスイッチが設けられることを特徴とする請求項２記載の防犯装置。
【請求項４】
前記スプレー缶は、着色剤、催涙剤、及び練習用有臭剤のなかから1つ乃至複数が選択されて充填されることを特徴とする請求項1記載の防犯装置。
【考案の詳細な説明】
【技術分野】
【０００１】
本考案は、塗料などを内容物とするスプレー缶を本体内に内蔵して引金部を操作することで、塗料を吹き付けるなどの防犯処理を行うことが可能な防犯装置に関する。
【背景技術】
【０００２】
現代社会でのセキュリティーのニーズは高まっており、銀行や郵便局などの金融機関に限らず、小中学校や小売の商店などに至るまで、暴漢や強盗のごとき犯罪者から身を守り、少なくとも防犯対策を考えることが必要になってきている。このような防犯装置の一例としては、金融機関の窓口で強盗事件が発生した場合に、逃走する犯罪者に向けて投げつけて目印とさせるカラーボールの如き防犯具が知られている。また、通行部にスプレーを予め配置して、強盗が発生した場合には逃走する被疑者に対して前記スプレーに連動するワイヤーを操作して逃走犯人に塗料を吹き付ける装置も知られている（例えば、特許文献１参照。）。
【０００３】
【特許文献１】登録実用新案公報  第３０３２２４３号
【考案の開示】
【考案が解決しようとする課題】
【０００４】
ところが、暴漢や強盗の如き犯罪者に遭遇した場合には、カラーボールや塗料などの目印は犯罪者を追跡する場合には利用可能であるが、強盗などの犯罪者に立ち向かう場合には、このようなカラーボールや塗料などの目印自体では自己防衛的に利用することができないことから、犯罪を有効に抑止することができないおそれがある。
【０００５】
そこで、本考案の防犯装置は、多様化する各種の犯罪に対応して、自己防衛的にも利用可能な構造を有する防犯装置の提供を目的とする。
【課題を解決するための手段】
【０００６】
上述の技術的な課題を解決するため、本考案の防犯装置は、スプレー缶を着脱自在に収納するスプレー缶収納部と、前記スプレー缶収納部に接続され使用者により把持可能とされる本体把持部と、前記本体把持部又は前記スプレー缶収納部の一部に回動可能に取り付けられ、引いた際に前記スプレー缶収納部に収納される前記スプレー缶の内容物を射出させる引金部とを有することを特徴とする。
【０００７】
また、本考案の防犯装置においては、前記スプレー缶収納部の外側には、光照射部を形成することができ、前記本体把持部の内部には警報発生装置を内蔵して前記光照射部からの光照射と当該警報発生装置からの警報発生を切り替えるスイッチを設けることも可能である。また、前記スプレー缶は、着色剤、催涙剤、及び練習用香水のなかから1つ乃至複数を選択してその内容物とすることが可能である。
【考案の効果】
【０００８】
着色剤などを用いたマーキング機能を犯罪者や逃走用の乗り物に対して発揮できると共に、本体把持部に取り付けられる引金部により、当該防犯装置は銃の如き形状となり、その形状から犯罪者を威嚇することも可能であって強盗などの犯罪行為を抑止することも可能である。また、内部に収納されるスプレー缶には、着色剤などに限らず、催涙剤などの護身用途の内容物を装備することもでき、犯罪者に対する鎮圧行為も可能である。また、本考案の防犯装置は、スプレー缶を内蔵する機能に加えて、大きな警報音を出すアラーム機能と暗い所や夜間でも防犯機能を発揮できるように光照射部が設けられており、1台で多機能の防犯行為が可能となる。
【０００９】
また、本考案の防犯装置では、着脱自在に装填できるスプレー缶としては、着色剤、催涙剤、及び練習用有臭剤のなかから1つ乃至複数が選択されて充填されるように構成されている。従って、実際の防犯時ではなく、演習などの際には練習用のスプレー缶を使用して内容物を発射するような練習が可能であり、犯罪に直面した場合でも演習時の経験を生かして対処できることになる。
【考案を実施するための最良の形態】
【００１０】
本考案の防犯装置の好適な実施形態について、図面を参照しながら説明する。図１乃至図３に示すように、本考案の防犯装置１０は、銃の如き外形形状を有しており、内部に円筒状のスプレー缶３０を着脱自在に収納できるように構成されたスプレー缶収納部１１と、スプレー缶収納部１１の後端部に接続されやや湾曲した形状を有して使用者により把持可能とされる本体把持部１２と、スプレー缶収納部１１の後端部に回動可能に取り付けられ、引いた際にスプレー缶収納部１１に収納されるスプレー缶３０の内容物を射出させる引金部１３とを有している。
【００１１】
スプレー缶収納部１１は略円筒状で中空の収納部であり、例えば黒色の所要のＡＢＳ或いはその他のプラスチック材により構成され、内部に円筒状のスプレー缶３０を収納できる形状とされている。このスプレー缶収納部１１の下側には、所要のふくらみを以って形成された光照射部１４が一体に設けられており、この光照射部１４の先端側の開口部１７からは内部に配置された発光ダイオードからの光が射出するように構成されている。スプレー缶収納部１１の先端側には、半球状のスプレー用の蓋部１５が螺合するように取り付けられており、スプレー缶３０をスプレー缶収納部１１の円筒部２４内に収納した際に蓋部１５の裏側がスプレー缶３０のステム部３１の先端部に当接する。従って、使用者が引金部１３を引いた場合には、スプレー缶３０が缶ごと蓋部１５の裏側に押し付けられ、これによってスプレー缶３０のステム部３１から内容物が蓋部１５の先端の孔１６を介して放出されることになる。
【００１２】
スプレー缶収納部１１の上部の先端側には、照準器のような突設部２２が形成され、さらにスプレー缶収納部１１の上部の後端側には、スライドスイッチ２３が設けられている。スライドスイッチ２３は、アラームを発生させる状態と、光照射部１４のライトを点灯させる状態と、これらをいずれもオフとさせる状態の３状態を切り替えるものであり、使用者が状況に応じて手でスライド操作させる構造を有する。スプレー缶収納部１１の側部には、すべり止めとしても機能する複数の直線状の模様部２５が形成されている。
【００１３】
このようなスプレー缶収納部１１と一体的に連続する形で、やや湾曲した形状を有する本体把持部１２が設けられている。この本体把持部１２も前述のスプレー缶収納部１１と同様の例えば黒色の所要のＡＢＳ或いはその他のプラスチック材により構成され、銃把部の如き形状を有しているが、実際の銃とは異なり内部には弾倉はなく変わりに乾電池が装着できる構造とされている。乾電池は本体把持部１２の後側の電池用蓋１９を開けることで乾電池収納部が現れ、その乾電池収納部に乾電池を入れることで装着される。乾電池は例えば９Ｖのタイプの物が使用されるが、アラームや光照射の回路構成によっては他のボタン電池などであっても良く、或いは充電池などであっても良い。
【００１４】
湾曲する本体把持部１２の内側面には、使用者の指の形状に沿った波状部２０が設けられており、本体把持部１２を握った場合には、人差し指が引金部１３に自然と位置するように構成されている。湾曲する本体把持部１２の最も底部２６には、ストラップ用の孔が形成されている。
【００１５】
引金部１３は湾曲する本体把持部１２の先端側でスプレー缶収納部１１と連続する部分で、下側に突出するように設けられている。引金部１３はその図示しない軸を中心に回動可能であり、引金部１３の引金を引くことでスプレー缶収納部１１の内部に収納されたスプレー缶３０の底部を前方に押してスプレー缶３０自体をスライド移動させることができる。
【００１６】
引金部１３の上側の側面には、引金のロック部１８が設けられており、このロック部１８を一方に回すと引金部１３が回動可能となり、他方に回すと引金部１３がロックされて回動しないように保持される。また、ロック部１８の近傍のナンバー表示部には、シリアルナンバーが表示されている。
【００１７】
概ね、上述の如き構造を有する本実施形態の防犯装置を使用する際は、図３に示すように、先ず蓋部１５を取り外して、スプレー缶収納部１１を開口して、内部の円筒部２４にスプレー缶３０を挿入する。このとき挿入方向はスプレー缶３０のステム部３１が当該防犯装置１０の先端部側となるように挿入する。スプレー缶３０の挿入後、蓋部１５をスプレー缶収納部１１の先端に螺合させ、スプレー缶３０の射出口と蓋部１５の開口部である先端の孔１６を合わせ込み、準備完了とさせる。
【００１８】
スプレー缶３０の内容物を吐き出させる場合には、先ず、ロック部１８を一方に回して引金部１３を回動可能とさせ、次いで引金部１３を指で操作して引くようにする。この引金部１３への操作によって、スプレー缶収納部１１の内部のスプレー缶３０は先端側に押し付けられ、ステム部３１の先端からスプレー缶３０の内容物が吐き出される。この内容物は蓋部１５の孔１６を介して外部に射出され、所要の標的に当てることが可能となる。
【００１９】
図４は犯罪者４４に対して使用者４１がスプレーによって撃退しているところを示す図である。使用者４１は手４２で把持する防犯装置１０の引金を指４３で引き、この操作に応じで催涙ガス及び着色剤の如き内容物がスプレーされる。犯罪者４４が逃げるような状態であっても、逆に襲いかかって来るような状態であっても、使用することで暴漢を撃退する効果を得ることが可能である。
【００２０】
本実施形態の防犯装置１０では、例えば４種類のスプレーが使用可能である。１つは練習用の香水カートリッジであり、内容物は有臭な液剤であって無害なものであることから、暴漢等を演じる場合でも安心して使用することができる。他の１つのカートリッジは着色剤と香水を混ぜたものであり、残りのカートリッジは、催涙剤のカートリッジと、催涙剤に着色剤を加えた内容物のカートリッジである。催涙剤を内容物するカートリッジは、暴漢に対する鎮圧効果が期待される。着色剤は逃走に対して効果を期待できる。これらのカートリッジは同じサイズであり、自由に置換することも可能である。
【００２１】
また、本実施形態の防犯装置１０には、アラーム装置が内蔵されており、スライドスイッチ２３を操作して警報を鳴らすことができる。また、同じスライドスイッチ２３を操作して光照射部１４のライトを点灯させることもできる。
【００２２】
本実施形態では、引金部１３によりスプレー缶収納部１１に着脱自在に配されたスプレー缶３０が操作される機構を有しているが、必ずしも銃の引金の形状を有する必要はなく、レバー、ボタンやその他の操作機構部を有していても良い。また、本実施形態では、１つのスプレー缶を収納するものとして説明したが、複数のスプレー缶を同時に収納するような機構を有していても良い。
【図面の簡単な説明】
【００２３】
【図１】本考案の防犯装置の一例の斜視図である。
【図２】本考案の防犯装置の一例の側面図である。
【図３】本考案の防犯装置の一例の斜視図であって、蓋部を外してスプレー缶を入れるところを示す図である。
【図４】本考案の防犯装置の一例の使用状態を示す模式図である。
【符号の説明】
【００２４】
１０  防犯装置
１１  スプレー缶収納部
１２  本体把持部
１３  引金部
１４  光照射部
１５  蓋部
１６  孔
１７  開口部
１８  ロック部
１９  電池用蓋
２０  波状部
２２  突設部
２３  スライドスイッチ
２４  円筒部
２５  模様部
２６  底部
２７  ナンバー表示部
３０  スプレー缶
３１  ステム
【図１】
0003123982.tif 000003
【図２】
0003123982.tif 000004
【図３】
0003123982.tif 000005
【図４】
0003123982.tif 000006